(57)【要約】【課題】異なるサイズのインナーフレームを用いた、取り扱い性の良好なマスクシステムを提供する。【解決手段】  第一のインナーフレーム２１と第二のインナーフレーム２２のいずれか一方がアウターフレーム３に取り付けられた状態でアウターフレーム３とともに装着者に装着される、マスクシステム１である。アウターフレーム３における、第一取付部３３と第二取付部３４は、所定距離を有する。第一のインナーフレーム２１における、第三取付部２３と第四取付部２６との距離Ｌ２は、アウターフレーム３における第一取付部３３と第二取付部３４との間の距離（所定距離）と同一である。第二のインナーフレーム２２における、第五取付部２８と第六取付部２９との距離Ｌ３は、アウターフレーム３における第一取付部３３と第二取付部３４との間の距離（所定距離）と同一である。【選択図】図４
2019024950.tif 000002
【特許請求の範囲】
【請求項１】
第一のインナーフレームと、
前記第一のインナーフレームとはサイズが異なる第二のインナーフレームと、
アウターフレームと、
を備え、
前記第一のインナーフレームと前記第二のインナーフレームは、いずれか一方が前記アウターフレームに取り付けられた状態で前記アウターフレームとともに装着者に装着される、マスクシステムであって、
前記アウターフレームは、前記第一のインナーフレーム及び前記第二のインナーフレームに取り付け可能な第一取付部と第二取付部とを有し、前記第一取付部と前記第二取付部は所定距離を有するように設けられており、
前記第一のインナーフレームは、前記第一取付部に取り付けられる第三取付部と、前記第二取付部に取り付けられる第四取付部と、を有し、
前記第二のインナーフレームは、前記第一取付部に取り付けられる第五取付部と、前記第二取付部に取り付けられる第六取付部と、を有し、
前記第三取付部と前記第四取付部との距離は前記所定距離と同一であり、
前記第五取付部と前記第六取付部との距離は前記所定距離と同一である、マスクシステム。
【請求項２】
前記第三取付部は、前記第四取付部を中心とする円弧上に複数形成され、
前記第五取付部は、前記第六取付部を中心とする円弧上に複数形成されている請求項１に記載のマスクシステム。
【請求項３】
第一のインナーフレームと、
前記第一のインナーフレームとはサイズが異なる第二のインナーフレームと、
アウターフレームと、
を備え、
前記第一のインナーフレームと前記第二のインナーフレームは、いずれか一方が前記アウターフレームに取り付けられた状態で前記アウターフレームとともに装着者に装着される、マスクシステムであって、
前記第一のインナーフレームは、前記アウターフレームに取り付けられる第三取付部と第四取付部とを有し、
前記第二のインナーフレームは、前記アウターフレームに取り付けられる第五取付部と第六取付部とを有し、
前記第三取付部と前記第四取付部との距離は第一の距離であり、
前記第五取付部と前記第六取付部との距離は前記第一の距離とは異なる第二の距離であり、
前記アウターフレームは、前記第三取付部及び前記第五取付部に取り付け可能な第一取付部と、前記第四取付部及び前記第六取付部に取り付け可能な第二取付部と、を有し、
前記第二取付部は、前記第四取付部が取り付け可能であって前記第一取付部との距離が前記第一の距離である第一部と、前記第六取付部が取り付け可能であって前記第一取付部との距離が前記第二の距離である第二部とを有する、マスクシステム。
【請求項４】
互いにサイズが異なる複数のインナーフレームのうち、いずれか一つがアウターフレームに取り付けられた状態で前記アウターフレームとともに装着者に装着されるマスクシステムに用いられるインナーフレームであって、
前記アウターフレームは、複数のインナーフレームに取り付け可能な第一取付部と第二取付部とを有し、前記第一取付部と前記第二取付部は所定距離を有するように設けられており、
前記インナーフレームは、前記第一取付部に取り付けられる第三取付部と、前記第二取付部に取り付けられる第四取付部と、を有し、
前記第三取付部と前記第四取付部との距離は前記所定距離と同一である、インナーフレーム。
【発明の詳細な説明】
【技術分野】
【０００１】
本開示は、マスクユニットに関する。
【背景技術】
【０００２】
生体の呼吸を人工的に行う人工呼吸器に用いられるマスクとして、インナーフレームとアウターフレームとを含むマスクが知られている（例えば特許文献１、特許文献２）。
【先行技術文献】
【特許文献】
【０００３】
【特許文献１】米国特許第８３６５７３５号公報
【特許文献２】米国特許公開第２０１４／０３４５６２０号公報
【発明の概要】
【発明が解決しようとする課題】
【０００４】
インナーフレームは、人工呼吸器における吸気を装着者に供給する等のため、装着者に密着して用いられる。インナーフレームは、アウターフレーム及びアウターフレームに取り付けられる帯部材により、装着者の顔面に接触した状態で、装着者に固定される。
【０００５】
インナーフレームは、装着者に密着して用いられるため、仮に再利用する場合には、高いレベルの洗浄を行う必要がある。このため、インナーフレームは、装着者毎に使い捨てることがある。
一方、アウターフレームは、装着者の額や髪に接して装着されるものであるため、再利用する場合には、インナーフレームよりも簡易の洗浄で十分な衛生状態の維持が可能である。
このため、アウターフレームを、複数の装着者に対して再利用したい場合がある。
【０００６】
しかし、従来のインナーフレームは、装着者に合わせて、Ｓサイズ、Ｍサイズ、Ｌサイズ等、複数種類のサイズで作成されていた。また、従来のアウターフレームも、インナーフレームのサイズに対応する複数種類のサイズで作成されていた。このため、新品または再利用のアウターフレームを、新品のインナーフレームに取り付ける際に、アウターフレームのサイズとは異なるサイズのインナーフレームを取り付けようとしてしまうことがあり、取扱い性に改善の余地があった。
【０００７】
本開示は、異なるサイズのインナーフレームを用いた、取り扱い性の良好なマスクシステムを提供することを目的とする。
【課題を解決するための手段】
【０００８】
本開示のマスクシステムは、
第一のインナーフレームと、
前記第一のインナーフレームとはサイズが異なる第二のインナーフレームと、
アウターフレームと、
を備え、
前記第一のインナーフレームと前記第二のインナーフレームは、いずれか一方が前記アウターフレームに取り付けられた状態で前記アウターフレームとともに装着者に装着される、マスクシステムであって、
前記アウターフレームは、前記第一のインナーフレーム及び前記第二のインナーフレームに取り付け可能な第一取付部と第二取付部とを有し、前記第一取付部と前記第二取付部は所定距離を有するように設けられており、
前記第一のインナーフレームは、前記第一取付部に取り付けられる第三取付部と、前記第二取付部に取り付けられる第四取付部と、を有し、
前記第二のインナーフレームは、前記第一取付部に取り付けられる第五取付部と、前記第二取付部に取り付けられる第六取付部と、を有し、
前記第三取付部と前記第四取付部との距離は前記所定距離と同一であり、
前記第五取付部と前記第六取付部との距離は前記所定距離と同一である、マスクシステムである。
【０００９】
上記構成によれば、アウターフレームにおける第一取付部と第二取付部との距離は、第一のインナーフレームにおける第三取付部と第四取付部との距離と同一であり、かつ、第二のインナーフレームにおける第五取付部と第六取付部との距離と同一であるので、異なるサイズである第一のインナーフレーム及び第二のインナーフレームに一種類のアウターフレームを取り付けることができる。
【００１０】
また、本開示のマスクシステムは、
第一のインナーフレームと、
前記第一のインナーフレームとはサイズが異なる第二のインナーフレームと、
アウターフレームと、
を備え、
前記第一のインナーフレームと前記第二のインナーフレームは、いずれか一方が前記アウターフレームに取り付けられた状態で前記アウターフレームとともに装着者に装着される、マスクシステムであって、
前記第一のインナーフレームは、前記アウターフレームに取り付けられる第三取付部と第四取付部とを有し、
前記第二のインナーフレームは、前記アウターフレームに取り付けられる第五取付部と第六取付部とを有し、
前記第三取付部と前記第四取付部との距離は第一の距離であり、
前記第五取付部と前記第六取付部との距離は前記第一の距離とは異なる第二の距離であり、
前記アウターフレームは、前記第三取付部及び前記第五取付部に取り付け可能な第一取付部と、前記第四取付部及び前記第六取付部に取り付け可能な第二取付部と、を有し、
前記第二取付部は、前記第四取付部が取り付け可能であって前記第一取付部との距離が前記第一の距離である第一部と、前記第六取付部が取り付け可能であって前記第一取付部との距離が前記第二の距離である第二部とを有する。
【００１１】
上記構成によれば、第一のインナーフレームにおける第三取付部と第四取付部との距離と、第二のインナーフレームにおける第五取付部と第六取付部との距離が異なっていても、アウターフレームの第二取付部がそれぞれ異なる距離に対応して取り付け可能となっているので、一種類のアウターフレームを取り付けることができる。
【００１２】
また、本開示のインナーフレームは、
互いにサイズが異なる複数のインナーフレームのうち、いずれか一つが前記アウターフレームに取り付けられた状態で前記アウターフレームとともに装着者に装着されるマスクシステムに用いられるインナーフレームであって、
前記アウターフレームは、複数のインナーフレームに取り付け可能な第一取付部と第二取付部とを有し、前記第一取付部と前記第二取付部は所定距離を有するように設けられており、
前記インナーフレームは、前記第一取付部に取り付けられる第三取付部と、前記第二取付部に取り付けられる第四取付部と、を有し、
前記第三取付部と前記第四取付部との距離は前記所定距離と同一である。
【００１３】
上記構成によれば、一種類のアウターフレームを、異なるサイズのインナーフレームに装着することができる。
【発明の効果】
【００１４】
本開示によれば、異なるサイズのインナーフレームを用いた、取り扱い性の良好なマスクシステムを提供することができる。
【図面の簡単な説明】
【００１５】
【図１】本開示のマスクシステムの概略説明図であり、マスクシステムの前側から見た図である。
【図２】本開示のマスクシステムを構成するインナーフレームの一例を示す斜視図である。
【図３】本開示のマスクシステムを構成するアウターフレームの一例を示す図であり、（Ａ）は後側から見た底面図、（Ｂ）はアウターフレームの右側面図、（Ｃ）はアウターフレームを上下方向に切断した断面を、左側面から見た断面図である。
【図４】本開示のマスクシステムを説明する図であり、第一のインナーフレーム、第二のインナーフレーム及びアウターフレームを示す左側面図である。
【図５】アウターフレームの第二取付部の変形例を示す説明図であり、アウターフレームを上下方向に切断した断面を、左側面から見た断面図である。
【発明を実施するための形態】
【００１６】
以下、本開示に係るマスクシステム１の実施の形態の例を、図面を参照して説明する。
【００１７】
＜マスクシステム＞
図１は、装着者の顔面に装着されて用いられるマスクシステム１を示している。マスクシステム１は、例えば人工呼吸器（ＮＰＰＶ、非侵襲的陽圧換気法等の機器）に適用可能なマスクシステムである。マスクシステム１は、異なるサイズの複数のインナーフレーム２（２１、２２）と、複数のインナーフレーム２（２１、２２）のいずれにも取り付け可能な一種類のサイズのアウターフレーム３とを有している。
【００１８】
インナーフレーム２は、図１に示すように、装着者の口と鼻を覆う大きさに形成されている。アウターフレーム３は、図１に示すように、インナーフレーム２に取り付けられる。アウターフレーム３の帯取付部３１、３２にはそれぞれ帯部材４、５が取り付けられて、アウターフレーム３及びインナーフレーム２を装着者に固定する。
【００１９】
インナーフレーム２（２１、２２）は、装着者の口と鼻を密閉するように装着されるものであるため、装着者の顔に合わせたサイズであることが好ましい。このため、インナーフレーム２（２１、２２）は、装着者の顔に合わせた複数種類のサイズ（Ｓサイズ、Ｍサイズ、Ｌサイズ等）で作成されている。
一方、アウターフレーム３は、装着者の体の一部を密閉するように装着されるものではないため、複数の装着者に対して共通のサイズとすることができる部材である。このため、アウターフレーム３は、一種類のサイズで作成されている。
【００２０】
＜インナーフレーム＞
図２は第一のインナーフレーム２１を示している。第一のインナーフレーム２１は、一例として小さいサイズ（Ｓサイズ）のインナーフレームである。
【００２１】
第一のインナーフレーム２１は、図１及び図２に示すように、本体部６と、管挿入部７と、第三取付部２３を含む調整片２４と、スライド片２５と、第四取付部２６と、を有している。
【００２２】
本体部６は、装着者の口と鼻を覆う部材であり、一例として、図１に示すように、上下方向に延びる下膨れの略しずく形状で構成されている。本体部６と装着者の顔面との間には、装着者の顔面への密閉性を高めるために、不図示の緩衝材（パッド）を設ける構成としてもよい。本体部６の下部には、酸素供給管等が挿入される管挿入部７が設けられている。
【００２３】
第四取付部２６は、本体部６の下部に設けられている。図２の第四取付部２６は、本体部６の左右各側面において、左右方向に延びる各１本の軸で構成されている。
【００２４】
調整片２４は、本体部６の上部から前方向に延びる板状部材で構成されている。調整片２４の左側面には、第三取付部２３が複数設けられている。
【００２５】
第三取付部２３は、第三取付部２３に取り付けられるアウターフレーム３の第一取付部３３（図３の（Ａ）参照）の形状に合わせて、形成されている。図２における第三取付部２３の形状は、第一取付部３３である直方体片を嵌め入れ可能な直方体状の窪みで形成されている。
【００２６】
第三取付部２３の各窪み部は、側面視において、第四取付部２６から等しい距離を有する複数の窪み部で構成されている。すなわち、第三取付部２３は、図４に示すように、第四取付部２６を中心とする半径Ｃ１の円弧上に複数形成されている。より詳細には、複数の第三取付部２３の各窪み部の前側の辺の中点が、第四取付部２６の軸の中心点を中心とする半径Ｃ１の円弧上に位置するように、複数の第三取付部２３が形成されている。
【００２７】
スライド片２５は、本体部６の上部において、調整片２４に対して右方向に所定の距離だけ離れた位置に設けられている。スライド片２５は、調整片２４と略同一の外形を有する板状部材で構成されている。スライド片２５の右側面には、図２に破線で示すように、スライド溝２７が設けられている。スライド溝２７は、アウターフレーム３のスライドガイド３５（図３の（Ａ）参照）をスライドさせる溝であり、スライド片２５の長手方向に設けられている。
【００２８】
第二のインナーフレーム２２は、一例として、第一のインナーフレーム２１よりも大きいサイズ（Ｍサイズ）のインナーフレームである。
【００２９】
第二のインナーフレーム２２は、第一のインナーフレーム２１と共通する形状で構成されている。すなわち、第二のインナーフレーム２２は、図２に示すように、本体部６と、管挿入部７と、第五取付部２８を含む調整片２４と、スライド片２５と、第六取付部２９と、を有している。第六取付部２９は、第四取付部２６と同様に、本体部６の上面の左右各側面において、左右方向に延びる各１本の軸で構成されている。
【００３０】
また、第五取付部２８は、第三取付部２３と同様に、側面視において、調整片２４の左側面に、第六取付部２９から等しい距離を有する複数の窪み部で構成されている。すなわち、第五取付部２８は、図４に示すように、第六取付部２９を中心とする半径Ｃ１の円弧上に複数形成されている。より詳細には、複数の第五取付部２８の各窪み部の前側の辺の中点が、第六取付部２９の軸の中心点を中心とする半径Ｃ１の円弧上に位置するように、複数の第五取付部２８が形成されている。
【００３１】
第二のインナーフレーム２２の本体部６は、第一のインナーフレーム２１の本体部６よりも大きいサイズで構成されている。この本体部６のサイズの違いにより、第二のインナーフレーム２２の調整片２４は、第一のインナーフレーム２１の調整片２４よりも、前後方向に短い板状部材で構成されている（図４参照）。このため、第三取付部２３と、第五取付部２８は、調整片２４上において、本体部６と調整片２４との接合部分からの距離が異なるように設けられている。
【００３２】
第一のインナーフレーム２１における、側面視における第三取付部２３と第四取付部２６との距離Ｌ２を、図４に示す。距離Ｌ２は、図４に示す第三取付部２３である窪み部の前側の長辺の中点と、図４に示す第四取付部２６である軸の中心点との距離である。また、第二のインナーフレーム２２における、側面視における第五取付部２８と第六取付部２９との距離Ｌ３を、図４に示す。距離Ｌ３は、図４に示す第五取付部２８である窪み部の前側の長辺の中点と、図４に示す第六取付部２９である軸の中心点との距離である。図４に示す通り、距離Ｌ２と距離Ｌ３は同一である。
【００３３】
＜アウターフレーム＞
アウターフレーム３は、インナーフレーム２（２１、２２）を装着者に取り付けるための取付部材である。アウターフレーム３は、図１、図３の（Ａ）に示すように、前方から見てＹ字状の二股に形成されている。アウターフレーム３は、第一取付部３３と、第二取付部３４と、スライドガイド３５と、帯取付部３１、３２と、額当て部３６と、帯取付部３１、３２及び額当て部３６と連続するＹ字状で形成されている本体部３７と、を有している。額当て部３６は、図１及び図３の（Ａ）に示すように、左右の帯取付部３１、３１の間に配置されている。なお、アウターフレーム３は、額当て部３６と装着者の額との間に、不図示の緩衝材（パッド）を取り付ける構成としてもよい。
【００３４】
第一取付部３３は、図１及び図３の（Ａ）に示すように、本体部３７のＹ字状の分岐部分の内側で、装着者の鼻の近傍に配置されるように設けられている。図３の（Ａ）及び（Ｃ）に示すように、第一取付部３３は、直方体片で構成されている。
【００３５】
第二取付部３４は、第四取付部２６または第六取付部２９を取り付ける部材である。第二取付部３４は、本体部３７の二股に分かれた先端側に、各一つ設けられている。図３の（Ｂ）及び（Ｃ）に示すように、第二取付部３４は、一部を欠いた円弧形状の内周縁部で構成されている。
【００３６】
第一取付部３３と第二取付部３４は、側面視で所定距離Ｌ１を有するように設けられている（図３の（Ｃ）参照）。距離Ｌ１は、図３の（Ｃ）に示す第一取付部３３である直方体片の前側の長辺の中点と、図３の（Ｃ）に示す第二取付部３４である内周に関する円弧の中心点との距離である。
【００３７】
また、図３の（Ｃ）に示すアウターフレーム３における第一取付部３３と第二取付部３４の距離Ｌ１は、図４に示す距離Ｌ２及び距離Ｌ３と同一である。距離Ｌ１と距離Ｌ２と距離Ｌ３とを同一とすることにより、アウターフレーム３は、すべてのサイズのインナーフレーム２（２１、２２）に取り付け可能に構成されている。
【００３８】
＜マスクシステムの取り付け＞
次に、マスクシステム１の取り付けについて説明する。
最初に、装着者の顔のサイズに合わせて、使用するのに適切なサイズのインナーフレーム２（２１、２２）を選択する。アウターフレーム３を、選択した第一のインナーフレーム２１（または第二のインナーフレーム２２）に嵌め込む。すなわち、第一取付部３３を、第三取付部２３または第五取付部２８に取り付ける。また、第四取付部２６または第六取付部２９を第二取付部３４に取り付ける。
【００３９】
アウターフレーム３を第一のインナーフレーム２１（または第二のインナーフレーム２２）に取り付けた後、マスクシステム１を、図１に示すように装着者の顔面に装着する。このとき、第一取付部３３は、第二取付部３４を中心に回動するので、アウターフレーム３の額当て部３６も、第二取付部３４を中心として、回動する。第一取付部３３は、複数の第三取付部２３または第五取付部２８のうち、一箇所に選択的に取り付け可能である。第一取付部３３の取付箇所の選択によって、額当て部３６の位置を調整することができる。すなわち、第四取付部２６または第六取付部２９を中心に、額当て部３６の角度を調整することができる。額当て部３６の調整により、マスクシステム１のインナーフレーム２（２１、２２）は、装着者の顔面に、装着者の鼻と口とを密閉した状態で固定される。
【００４０】
以上説明したように、本開示のマスクシステム１によれば、第一取付部３３と第二取付部３４との距離Ｌ１は、第三取付部２３と第四取付部２６との距離Ｌ２と同一であり、かつ、第五取付部２８と第六取付部２９との距離Ｌ３と同一であるので、異なるサイズである第一のインナーフレーム２１及び第二のインナーフレーム２２に一種類のサイズのアウターフレーム３を取り付けることができる。
【００４１】
また、本開示のマスクシステム１によれば、第三取付部２３は、第四取付部２６を中心とする円弧上に複数形成され、第五取付部２８は、第六取付部２９を中心とする円弧上に複数形成されているので、装着者がインナーフレーム２（２１、２２）を装着するときに、第四取付部２６（または第六取付部２９）を中心に、額当て部３６の角度調整を行うことができる。
【００４２】
また、本開示のインナーフレーム２（２１、２２）によれば、一種類のサイズのアウターフレーム３を用いて、異なるサイズのインナーフレーム２１、２２を装着することができる。
【００４３】
＜変形例＞
次に、マスクシステム１の変形例を説明する。
【００４４】
本変形例において、側面視における第一のインナーフレーム２１の第三取付部２３と第四取付部２６との距離Ｌ２（第一の距離の一例）は、側面視における第二のインナーフレーム２２の第五取付部２８と第六取付部２９との距離Ｌ３（第二の距離の一例）と異なる。
【００４５】
図５には、マスクシステム１の変形例におけるアウターフレーム３Ａが示されている。
アウターフレーム３Ａは、アウターフレーム３と比較して、第二取付部３４Ａの構成のみが異なる。
【００４６】
第二取付部３４Ａは、図５に示すように、第一部３８及び第二部３９を有している。第一部３８、第二部３９は、第二取付部３４と同様に、一部を欠いた円弧形状の内周縁部で構成されている。
【００４７】
第一部３８と第一取付部３３との距離は、側面視において、図５に示す距離Ｌ４（第一の距離の一例）である。第二部３９と第一取付部３３との距離は、側面視において、図５に示す距離Ｌ５（第二の距離の一例）である。距離Ｌ４は、距離Ｌ５と異なる距離である。距離Ｌ５は、距離Ｌ４より長い距離である。
【００４８】
側面視において、本変形例の第一のインナーフレーム２１の第三取付部２３と第四取付部２６との距離Ｌ２は、図５に示す距離Ｌ４と同一である。また、側面視において、本変形例の第二のインナーフレーム２２の第五取付部２８と第六取付部２９との距離Ｌ３（第二の距離）は、図５に示す距離Ｌ５と同一である。
【００４９】
＜マスクシステムの取り付け（動作）＞
次に、本変形例におけるマスクシステム１の取り付けについて説明する。
装着者の顔のサイズに合わせて、使用するのに適切なサイズのインナーフレーム（第一のインナーフレーム２１または第二のインナーフレーム２２）を選択する。第一のインナーフレーム２１を選択した場合、第四取付部２６である軸の外周を、第一部３８の内周縁部に嵌め込む。第二のインナーフレーム２２を選択した場合、第六取付部２９である軸の外周を、第二部３９の内周縁部に嵌め込む。また、第一取付部３３を、第三取付部２３または第五取付部２８に取り付ける。このように、アウターフレーム３を第一のインナーフレーム２１または第二のインナーフレーム２２に取り付けた後、マスクシステム１を、図１に示すように装着者の顔面に装着する。
【００５０】
上記構成によれば、第三取付部２３と第四取付部２６との距離Ｌ２が第一の距離Ｌ４と同一である第一のインナーフレーム２１と、第五取付部２８と第六取付部２９との距離Ｌ３が第二の距離Ｌ５と同一である第二のインナーフレーム２２に、一種類のアウターフレーム３Ａを取り付けることができる。すなわち、第三取付部２３と第四取付部２６との距離Ｌ２と、第五取付部２８と第六取付部２９との距離Ｌ３とが異なっていても、アウターフレーム３Ａの第二取付部３４Ａがそれぞれ異なる距離Ｌ２、Ｌ３に対応して取り付け可能となっているので、一種類のアウターフレーム３Ａを異なるサイズのインナーフレーム２１、２２に取り付けることができる。
【００５１】
なお、上記実施形態における距離Ｌ１、Ｌ２、Ｌ３、Ｌ４、Ｌ５は、上記した構成に限らない。距離Ｌ１、Ｌ２、Ｌ３、Ｌ４、Ｌ５は、第一取付部、第二取付部、第三取付部、第四取付部、第五取付部、第六取付部の形状、構成等に合わせて適宜定めることができる。
【００５２】
例えば、距離Ｌ１、Ｌ２、Ｌ３、Ｌ４、Ｌ５は、インナーフレームまたはアウターフレームのいずれか、または両方を、変形可能な材質で構成することにより調整されて定められる距離であってもよい。インナーフレームが変形せず、アウターフレームが変形する一例として、複数のサイズの硬質な樹脂等で構成される変形しないインナーフレームと、弾性変形可能な材質で構成されるアウターフレームとを用いる場合を説明する。この例において、アウターフレームは、インナーフレームにおける距離Ｌ２、Ｌ３、Ｌ４と、アウターフレームにおける距離Ｌ１とが同一となるように、所望の状態に弾性変形された状態で、インナーフレームに取り付けられる。アウターフレームが変形せず、インナーフレームが変形する一例として、硬質のアウターフレームと、複数の伸縮可能なゴム、シリコン、塩化ビニル等で構成されるインナーフレームとを用いる場合を説明する。この例において、インナーフレームにおける距離Ｌ２、Ｌ３、Ｌ４と、アウターフレームにおける距離Ｌ１とが同一となるように、伸縮でサイズの微調整が行われたインナーフレームに対して、一種類のサイズのアウターフレームが取り付けられる。
【００５３】
また、インナーフレームまたはアウターフレームのいずれか、または両方を、変形可能とする構成は、上記した材質による構成に限らない。変形は、弾性変形でもよく、その他の構成等による変形でもよい。例えば、距離Ｌ１について、アウターフレーム３、３Ａの第二取付部３４、３４Ａを、本体部３７に対してスライド可能に構成し、第二取付部３４、３４Ａのスライドにより距離Ｌ１を定めるようにしてもよい。
また、変形可能とする箇所を、インナーフレームまたはアウターフレームの全体としてもよく、インナーフレームまたはアウターフレームの一部としてもよい。例えば、アウターフレーム３の本体部３７における二股の先端側と、帯取付部３２及び第二取付部３４、３４Ａとの境界部４０（図３の（Ａ）、図５参照）を、変形可能に構成してもよい。
【００５４】
また、第一取付部、第二取付部、第三取付部、第四取付部、第五取付部、第六取付部の形状や構成も、上記した構成に限らず、各種の形状や構成とすることができる。例えば、第三取付部２３、第五取付部２８を、孔や切り欠き等で構成してもよい。第四取付部２６、第六取付部２９を、突条や突片等で構成してもよい。また、第一取付部、第二取付部、第三取付部、第四取付部、第五取付部、第六取付部の凹凸を逆としてもよい。
【００５５】
本開示は、上述した実施形態や変形例に限定されず、適宜、変形、改良等が自在である。その他、上述した実施形態における各構成要素の材質、形状、形態、数、配置場所等は、本開示を達成できるものであれば任意であり、限定されない。
【符号の説明】
【００５６】
１  マスクシステム、    ２  インナーフレーム、    ３、３Ａ  アウターフレーム、    ４、５  帯部材、    ６  本体部、    ７  管挿入部、    ２１  第一のインナーフレーム、    ２２  第二のインナーフレーム、    ２３  第三取付部、    ２４  調整片、    ２５  スライド片、    ２６  第四取付部、    ２７  スライド溝、    ２８  第五取付部、    ２９  第六取付部、    ３１、３２  帯取付部、    ３３  第一取付部、    ３４、３４Ａ  第二取付部、    ３５  スライドガイド、    ３６  額当て部、    ３７  本体部、    ３８  第一部、    ３９  第二部、    Ｃ１  半径、    Ｌ１、Ｌ２、Ｌ３、Ｌ４、Ｌ５  距離
【図１】
2019024950.tif 000003
【図２】
2019024950.tif 000004
【図３】
2019024950.tif 000005
【図４】
2019024950.tif 000006
【図５】
2019024950.tif 000007